【手続補正書】
【提出日】平成19年5月22日(2007.5.22)
【手続補正１】
【補正対象書類名】特許請求の範囲
【補正対象項目名】全文
【補正方法】変更
【補正の内容】
【特許請求の範囲】
【請求項１】
液晶パネルを備えてなり、前記液晶パネルの表示状態が環境光の強度に応じて制御される液晶装置において、
前記環境光を受光する複数の受光手段を備え、
前記複数の受光手段のうちの少なくとも１つの受光手段の前記環境光に対する感度が、他の受光手段の前記環境光に対する感度と異なることを特徴とする液晶装置。
【請求項２】
液晶パネルを備えてなり、前記液晶パネルの表示状態が環境光の強度に応じて制御される液晶装置において、
前記環境光を受光する複数の受光手段を備え、
前記複数の受光手段のうちの少なくとも１つの受光手段の受光面の面積が、他の受光手段の受光面の面積と異なることを特徴とする液晶装置。
【請求項３】
液晶パネルと、前記液晶パネルに照明光を照射する照明手段と、を備えてなり、前記照明光の強度が環境光の強度に応じて制御される液晶装置において、
前記環境光を受光する複数の受光手段を備え、
前記複数の受光手段のうちの少なくとも１つの受光手段の前記環境光に対する感度が、他の受光手段の前記環境光に対する感度と異なることを特徴とする液晶装置。
【請求項４】
液晶パネルと、前記液晶パネルに照明光を照射する照明手段と、を備えてなり、前記照明光の強度が環境光の強度に応じて制御される液晶装置において、
前記環境光を受光する複数の受光手段を備え、
前記複数の受光手段のうちの少なくとも１つの受光手段の受光面の面積が、他の受光手段の受光面の面積と異なることを特徴とする液晶装置。
【請求項５】
前記複数の受光手段の受光面が、互いに近接した位置に設けられていることを特徴とする請求項１から４のいずれか１項に記載の液晶装置。
【請求項６】
電気光学物質層を有する電気光学パネルを備えてなり、前記電気光学パネルの表示状態が環境光の強度に応じて制御される電気光学装置において、
前記環境光を受光する複数の受光手段を備え、
前記複数の受光手段のうちの少なくとも１つの受光手段の前記環境光に対する感度が、他の受光手段の前記環境光に対する感度と異なることを特徴とする電気光学装置。
【請求項７】
前記電気光学物質層が、有機発光材料を含んでなることを特徴とする請求項６に記載の電気光学装置。
【請求項８】
表示部を備えてなり、前記表示部の表示状態が環境光の強度に応じて制御される電子機器において、
前記環境光を受光する複数の受光手段を備えてなり、
前記複数の受光手段のうちの少なくとも１つの受光手段の前記環境光に対する感度が、他の受光手段の前記環境光に対する感度と異なることを特徴とする電子機器。
【請求項９】
表示部を備えてなり、前記表示部の表示状態が環境光の強度に応じて制御される電子機器において、
前記環境光を受光する複数の受光手段を備え、
前記複数の受光手段のうちの少なくとも１つの受光手段の受光面の面積が、他の受光手段の受光面の面積と異なることを特徴とする電子機器。
【手続補正２】
【補正対象書類名】明細書
【補正対象項目名】発明の名称
【補正方法】変更
【補正の内容】
【発明の名称】液晶装置及び電気光学装置並びに電子機器
【手続補正３】
【補正対象書類名】明細書
【補正対象項目名】０００１
【補正方法】変更
【補正の内容】
【０００１】
本発明は、液晶装置及び電気光学装置並びに電子機器に関する。
【手続補正４】
【補正対象書類名】明細書
【補正対象項目名】０００４
【補正方法】変更
【補正の内容】
【０００４】
本発明は、上記従来の問題に鑑みてなされたもので、環境光の強度に対してより高い分解能や検出範囲を有する液晶装置及び電気光学装置並びに電子機器を提供することを目的とする。
【手続補正５】
【補正対象書類名】明細書
【補正対象項目名】０００５
【補正方法】変更
【補正の内容】
【０００５】
本発明は、前記課題を解決するために以下の構成を採用した。すなわち、本発明にかかる液晶装置は、液晶パネルを備えてなり、前記液晶パネルの表示状態が環境光の強度に応じて制御される液晶装置において、前記環境光を受光する複数の受光手段を備え、前記複数の受光手段のうちの少なくとも１つの受光手段の前記環境光に対する感度が、他の受光手段の前記環境光に対する感度と異なることを特徴とする。より具体的には、液晶パネルは、液晶層を挟持する一対の基板を有する。複数の受光手段は環境光を受光して該環境光の強度情報を取得する。前記液晶パネルに表示する画像の表示状態は、制御手段により制御される。
【手続補正６】
【補正対象書類名】明細書
【補正対象項目名】０００７
【補正方法】変更
【補正の内容】
【０００７】
また、本発明にかかる液晶装置は、液晶パネルを備えてなり、前記液晶パネルの表示状態が環境光の強度に応じて制御される液晶装置において、前記環境光を受光する複数の受光手段を備え、前記複数の受光手段のうちの少なくとも１つの受光手段の受光面の面積が、他の受光手段の受光面の面積と異なることを特徴とする。例えば、受光手段における受光面の面積が、該受光手段よりも前記感度の低い他の受光手段における受光面の面積よりも広いこととしてもよい。
この発明では、複数の受光手段に同一の構造を採用した場合において、受光面の面積が広くなるにしたがって感度が高くなる。したがって、各受光手段の受光面の面積を調整することで、各受光手段における感度を設定することができる。
【手続補正７】
【補正対象書類名】明細書
【補正対象項目名】０００９
【補正方法】変更
【補正の内容】
【０００９】
また、本発明にかかる液晶装置は、液晶パネルを備えてなり、前記液晶パネルの表示状態が環境光の強度に応じて制御される液晶装置において、前記環境光を受光する複数の受光手段を備え、前記複数の受光手段のうちの少なくとも１つの受光手段の前記環境光に対する感度が、他の受光手段の前記環境光に対する感度と異なることを特徴とする。また、液晶パネルを備えてなり、前記液晶パネルの表示状態が環境光の強度に応じて制御される液晶装置において、前記環境光を受光する複数の受光手段を備え、前記複数の受光手段のうちの少なくとも１つの受光手段の受光面の面積が、他の受光手段の受光面の面積と異なることを特徴とする。液晶パネルの背面側に照明光を照射する照明手段を備え、前記制御手段が、前記強度情報に基づいて前記照明光の強度を制御することが好ましい。
この発明では、制御手段が環境光の強度に基づいて照明手段による照明光の強度を制御するので、液晶装置の外部の明るさによらず適切な表示を液晶パネルにおいて行うことができると共に、照明手段の消費電力を低減することができる。
【手続補正８】
【補正対象書類名】明細書
【補正対象項目名】００１２
【補正方法】変更
【補正の内容】
【００１２】
本発明にかかる電気光学装置は、電気光学物質層を有する電気光学パネルを備えてなり、前記電気光学パネルの表示状態が環境光の強度に応じて制御される電気光学装置において、前記環境光を受光する複数の受光手段を備え、前記複数の受光手段のうちの少なくとも１つの受光手段の前記環境光に対する感度が、他の受光手段の前記環境光に対する感度と異なることを特徴とする。そして、前記電気光学物質層が、有機発光材料を含んでなることを特徴とする。電気光学パネルは、電気光学物質層を挟持する一対の基板を有する。複数の受光手段は、環境光を受光して該環境光の強度情報を取得する。前記電気光学パネルに表示される画像の表示状態は制御手段により制御される。
この発明では、上述と同様に、感度の異なる受光手段を複数設けることで、環境光の強度に対する分解能をより高くすることができる。また、環境光の強度に対する検出範囲を拡大することができる。
さらに、制御手段により強度情報に応じて電気光学パネルにおける画像の表示状態が最適化されており、例えば電気光学物質層に対して過剰な電圧が印加されることを回避するので、電気光学物質層の長寿命化を図ることができる。
【手続補正９】
【補正対象書類名】明細書
【補正対象項目名】００１３
【補正方法】変更
【補正の内容】
【００１３】
また、本発明にかかる電子機器は、表示部を備えてなり、前記表示部の表示状態が環境光の強度に応じて制御される電子機器において、前記環境光を受光する複数の受光手段を備えてなり、前記複数の受光手段のうちの少なくとも１つの受光手段の前記環境光に対する感度が、他の受光手段の前記環境光に対する感度と異なることを特徴とする。また、表示部を備えてなり、前記表示部の表示状態が環境光の強度に応じて制御される電子機器において、前記環境光を受光する複数の受光手段を備え、前記複数の受光手段のうちの少なくとも１つの受光手段の受光面の面積が、他の受光手段の受光面の面積と異なることを特徴とする。
この発明では、環境光の強度に対する分解能をより高くすることができると共に、環境光の強度の検出範囲を拡大することができる。